(57)【要約】【課題】硬質陶磁器製の太柄芯体と緩衝用パッキンを備えた太柄と、楕円形の太柄孔を有し、且つブロック内部に空間部を設けて軽量化した、陶磁器製、若しくは、プラスチック製のブロック製品で、操作簡単に組立て、組立後各ブロック外端部並びに中央部、平面（上面）及び側面に位置する、目地溝に粘着性シーリング材、または同コーキング材を施し完成する、ブロック製品及び同構造体を提供する。【解決手段】各ブロック１には、上下対称に太柄孔２が設けられている。これ等各ブロック１を結合するには、先ず下位ブロック１の太柄孔２へ硬質陶磁器製の太柄芯体３に緩衝用パッキン４を嵌めた、太柄５の下半分を嵌め込み、次に上位ブロック１の太柄孔２へ緩衝用パッキン４を嵌め込んだ後に、先に下位ブロック１に嵌め込まれている太柄芯体３を重ねて押圧すると上、下ブロック１は結合固定される。所望の構造体となった各ブロック１の端部及び中央平面（上面）、側面の目地溝６に粘着性シーリング材かコーキング材を取付けて完成する。【選択図】図１
2004211413.tif 000002
【特許請求の範囲】
【請求項１】
楕円形の太柄孔（だぼあな）を設けた、中空の陶磁器製及びプラスチック製品であることを特徴とする、ブロック製品及び同構造体。
【請求項２】
請求項１の製品で外端部及び中央部分の上面並びに側面の一方向に目地用溝を設けたことを特徴をするブロック製品及び同構造体。
【請求項３】
請求項１及び２のブロック製品で異形であることを特徴とする、ブロック製品及び同構造体。
【請求項４】
太柄孔に用いる太柄は陶磁器製とし、太柄外周部にゴム製かプラスチック製の緩衝用パッキンを用いることを特徴とするブロック構造体。
【発明の詳細な説明】
【０００１】
【発明の属する技術分野】
本発明は、コンクリート製、陶磁器製、樹脂等からなる直方立方体状のブロック製品であり、これ等ブロック製品を組積して、小規模な構造物を築造する、ブロック製品および構造物に関する。
【０００２】
【従来の技術】
従来、土木や建築の各工事においては、２材の接合部で「ずれ」を防ぐため、両材にまたがって穴を掘って入れる小片を「太柄」といい、木工事では「かし、けやき、なら」等の堅木を、石工事、レンガ工事等では、亜鉛メッキを施した丸棒や角棒の金属が用いられてきた
即ち硬くて剛性のある材質のものを「太柄」として用いられてきた。
従来レンガや石材を用いて施工する組積工事では、組積しようとする材料の接合面の上下にセメントモルタル等を塗付けて接合し、積上げて築造するのが一般的な工法であり、特殊な組積工事の場合には、上述の
太柄として金属の剛性材料が用いられてきた。
【０００３】
【発明が解決しようとする課題】
しかし、これ等従来からの工法には、次のような欠点があった。
イ．接合部のセメントモルタルの乾燥度にあわせて積上げていくために時間がかかる。
ロ．「太柄」を入れるときに石材やレンガ等を破損することが多々ある。
ハ．熟練した職人が必要である。
ニ．湿式接着工法のため一部分の取壊しや補修のために該部分の周囲を大きく取壊し多大の労力と費用がかかる。
ホ．既設材を反覆して使用することができない。
ヘ．取壊し廃材は、建築廃材の産業廃棄物として処分しなければならない。
ト．施工部材や材料が重く、重量が過重になる。
チ．トの理由のために、それを支持する基礎や床版等を頑丈に作らなければならない。
【０００４】
本発明は、以上の欠点を解決するためになされたものであり、かつ自由に作り直したりして、反覆使用できるブロック製品を提供することにある。
【０００５】
【課題を解決するための手段】
＜構成１＞
直方立方体状のブロック製品の寸法比は、前述のＪＩＳ規格に沿って、概略、幅方向Ｗ：１。長さ方向Ｌ：２。厚さ方向Ｔ：０．６を基準比率とする。
Ｌ長さ方向をＷ幅方向に平行に二等分した、各エリアの中心位置にそれぞれ楕円形の「太柄穴」が設けられていることを特徴とする。
【０００６】
＜構成２＞
最下端のブロック（１）の天端部分接合面の太柄孔（２）へ陶磁器製の太柄芯（３）に緩衝用パッキン（４）を透設した１組の太柄（５）の下半分を嵌入して、該太柄（５）を下ブロックに固定し、該太柄（５）の上半分は、上部ブロック下端部分接合面の太柄孔（２）に嵌入して、
上下ブロックを連結固定する。
以下順次この作業を繰返して行ない、所望の構造物を得る。
更に築造した構造物の各ブロックの目地用溝（６）に粘着性ゴム製シーリング材か同コーキング材を取付けて、雨水の浸入を防止すると同時に耐震的補強を兼ねたブロック及びブロック構造物を提供する。
【０００７】
＜構成３＞
本ブロックの特徴の一である軽量化は、ブロック内部に空間部を有することである。空間部（１０）は、ブロック外殻部（７）と中桁（９）及び小梁（８）によって囲まれた部分である。
太柄孔（２）は中桁（９）内に設けられている、太柄孔（２）と太柄（５）との接触面、即ち太柄孔（２）の内部は粗面とする。
太柄孔（２）は前述のとおり、長さ方向Ｌを幅方向Ｗに平行に二等分した各エリアの中心位置にそれぞれ楕円形の太柄孔（２）が設けられている。
空間を設けることにより従来のレンガ重量の約４０％が軽減され、且つ空間部を有することにより、外気との断熱性に優れたブロックレンガを提供する。
【０００８】
＜構成４＞
本発明は以上のような構造で、これを使用するときの実施の状況を下記に記す。
【０００９】
【発明の実施の形態】
以下、本発明の実施の形態を説明する。
図１は、本発明にかかる、ブロック製品の太柄を用いた縦断面図である。図２は同ブロック製品の横断面図である。図３は、同ブロック製品の平断面図である。
【００１０】
【本発明にかかる実施の形態】
本発明はかかるブロック製品は、下部のブロック（１）と上部のブロック（１）を連結固定する「太柄」（５）を備えて構成される。
また該ブロックが組積されて１組の構造体が出来上がったとき、各ブロックの外端部及び中央天端部分及び同側面部分の目地溝（６）は粘着性ゴム製シーリング材かコーキング材を取付けて完成するものである。
太柄芯体（４）には硬質陶磁器を使用し、且つ垂直面外周部には多数の小さな凸起を設ける。
太柄芯体（３）の垂直外周面に取付ける緩衝用パッキン（４）は、軟質ゴムか、または軟質ビニールを用いて、これを太柄孔（２）へ挿入後に太柄芯体（３）を嵌入して、下部ブロック（１）と太柄（５）を固定した後に後積用の上部ブロック（１）の太柄孔（２）へ緩衝用パッキン（４）を挿入し、既設の下部ブロックに透設した太柄芯体（３）の上半分を上部ブロック（１）の太柄孔（２）へ嵌入して、下部ブロック（１）と上部ブロック（１）を連結固定し一体のものとする。
【００１１】
以上は標準型ブロックの取付方法であるが、異形ブロックの場合の取付方法も、これと同様である。
【００１２】
さらに積み終わったブロック体には、各ブロック（１）の目地溝（６）へ粘着性ゴム状のシーリング材か同コーキング材を用いて、上下、左右の各ブロック（１）の目地溝（６）へシーリングを施して耐震性を補強するものとする。
【００１３】
以上のような構造で、これを使用する場合の実施例を以下に述べる。
【００１４】
【第１実施の形態】
図８は「カサ立て」の斜視図である。
下位ブロック（１）と上位ブロック（１）を太柄孔（２）を中心にして、９０度回転させて、構造体の右側面と左側面を連結固定させている（例）の一端である。
【００１５】
【第２実施の形態】
図９は庭に置く植木鉢の立面図である。端部を整合させるために半丁掛を使用している。
【００１６】
【発明の効果】
本発明にかかる、ブロック製品は従来の製品と比べ、以下に述べる特徴を有している。
（イ）太柄孔面を粗にしているため、緩衝用パッキンとの接合が密になる。
（ロ）太柄芯体に硬質陶磁器を使用し、且つその垂直外周面を粗にしているため、緩衝用パッキンとの接合面が密になる。
（ハ）太柄芯体が硬質陶磁器のため吸湿しない。
（ニ）ブロック本体内部に空隙部を設けているため、従来製品の約４０％軽量化している。
（ホ）ブロック本体外周部及び中央部に目地溝を設けているため、シーリングやコーキングが施し易い。
（ヘ）本製品を用いて、築造した構築物は震動に対しては、外部では目地溝に施工したゴム製シーリング材と内部では太柄外周に施した、ゴム製またはビニール製の緩衝用パッキンによって、その震動が吸収される。
【００１７】
以下に従来品と比べて優れている点を述べる。
【００１８】
【組積する場合の利点】
イ．ブロック本体内部に空隙部を設けているため、従来製品に比べて約４０％軽量化されている。
ロ．ブロック本体が硬質陶磁器製であるため、室内装飾に適する。
ハ．太柄は太柄芯体と緩衝用パッキンとで成っているため、組積時に太柄をブロックに嵌入する場合において、該ブロックを傷めることなく嵌入することができる。
ニ．製品が規格化されている上、組積には、太柄を入れるだけの簡単な操作なので、積上げていくための熟練工を必要としない。
ホ．太柄自体に密着性があるので、一旦嵌入した太柄は容易に着脱しない。
ヘ．組積の途中で少し位ブロック間の左右前後への移動及び、上下への回転が生じても、太柄自体に弾力性があるため充分に対応でき、施工時間が少なくて済み、且つ施工現場が汚れないので後始末の必要がない。
【００１９】
【構造物を解体する場合の利点】
イ．従来の湿式接着工法の場合と異なり、太柄を取りはずすだけで構造物を容易に解体することができる。
ロ．解体する場合に発生する騒音が非常に少ない。
ハ．解体する場合の粉塵が非常に少ない。
【００２０】
【構造物解体後の利点】
イ．解体したブロック製品は、再度利用できる。
ロ．解体除去した太柄は、再度利用することができる。
【図面の簡単な説明】
【図１】本発明にかかる、標準型ブロックの楕円状太柄孔を有する、上位ブロックと下位ブロックと円筒状太柄との関係図である。
【図２】同ブロック製品の横断面図である。
【図３】同ブロック製品の平断面図である。
【図４】同ブロック製品の平面図である。
【図５】本発明にかかる、異形ブロックの楕円状太柄孔を有する、異形ブロックの平面図である。
【図６】同異形ブロックの縦断面図である。
【図７】同異ブロックの横断面図である。
【図８】カサ立ての斜視図である。
【図９】植木鉢の立面図である。
【符号の説明】
１：ブロック
２：太柄孔
３：太柄芯体
４：緩衝用パッキン
５：太柄
６：目地溝
７：外殼
８：小梁
９：中桁
１０：空隙部
【図１】
2004211413.tif 000003
【図２】
2004211413.tif 000004
【図３】
2004211413.tif 000005
【図４】
2004211413.tif 000006
【図５】
2004211413.tif 000007
【図６】
2004211413.tif 000008
【図７】
2004211413.tif 000009
【図８】
2004211413.tif 000010
【図９】
2004211413.tif 000011